【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】  被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、
操作に応じてプリント用紙サイズを指定する指定手段と、
この指定手段により指定されたプリント用紙サイズに応じて前記表示手段に表示される前記枠のサイズを変更する表示枠制御手段と
を備えることを特徴とする撮像装置。
【請求項２】  前記表示手段に、前記スルー画像と撮影ガイド用の枠とが表示されている状態において、撮影指示に応答して撮影動作を実行し、前記被写体の画像データを前記プリント用紙サイズを示す情報とともに記録媒体に記録させる記録制御手段を更に備えることを特徴とする請求項１記載の撮像装置。
【請求項３】  前記表示手段に、前記スルー画像と撮影ガイド用の枠とが表示されている状態において、撮影指示に応答して撮影動作を実行し、前記スルー画像上に撮影ガイド用の枠が表示された画像データを記録媒体に記録する記録制御手段を更に備えることを特徴とする請求項１記載の撮像装置。
【請求項４】  被写体を撮像して画像データを出力する撮像手段と、この撮像手段から出力される画像データを記録する記録手段とを備える撮像装置において、
操作に応じて複数の撮影モードのいずれかを設定する撮影モード設定手段と、
この設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段と
を備えることを特徴とする撮像装置。
【請求項５】  被写体を撮像して画像データを出力する撮像手段と、この撮像手段から出力される画像データを記録画像として記録する記録手段とを備える撮像装置において、
操作に応じてプリント用紙サイズを指定する指定手段と、
この指定手段により指定されたプリント用紙サイズに応じて、前記記録手段に記録する記録画像上に配置する前記画像データの大きさ及び又は枚数を決定する決定手段と
を備えることを特徴とする撮像装置。
【請求項６】  前記大きさ及び又は枚数で前記画像データを配置した前記記録画像と、前記指定手段により指定されたプリント用紙サイズを示す情報とを前記記録媒体に記録する記録制御手段を更に備えることを特徴とする請求項５記載の撮像装置。
【請求項７】  前記撮像手段から出力される画像データに基づき前記被写体のスルー画像を表示するとともに、このスルー画像上に撮影ガイド用の枠を表示する表示手段を更に備え、
前記記録制御手段は、前記スルー画像の前記枠内の画像のみを抽出し、この抽出した枠内の画像を前記記録画像上に配置することを特徴とする請求項６記載の撮像装置。
【請求項８】  前記決定手段が決定した画像データの枚数内において、前記記録画像上に配置する画像データの枚数を操作に応じて任意に設定する設定手段を更に備えることを特徴とする請求項５、６又は７記載の撮像装置。
【請求項９】  前記スルー画像上に、前記撮影ガイド用の枠とともに撮影時の注意事項等のガイダンスを表示させる表示制御手段を更に備えることを特徴とする請求項１から３、７にいずれか記載の撮像装置。
【請求項１０】  被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置において、
前記表示手段に、前記撮影ガイド用の枠とともに撮影時の注意事項等のガイダンスを表示させる表示制御手段を備えることを特徴とする撮像装置。
【請求項１１】  被写体を撮像して画像データを出力する撮像手段と、この撮像手段から出力される画像データに基づき前記被写体のスルー画像を表示するとともに、このスルー画像上に撮影ガイド用の枠を表示する表示手段と、操作に応じてプリント用紙サイズを指定する指定手段とを備える撮像装置が有するコンピュータを、
前記指定手段により指定されたプリント用紙サイズに応じて前記表示手段に表示される前記枠のサイズを変更する表示枠制御手段と
して機能させることを特徴とする撮像制御プログラム。
【請求項１２】  被写体を撮像して画像データを出力する撮像手段と、この撮像手段から出力される画像データを記録する記録手段と、操作に応じて複数の撮影モードのいずれかを設定する撮影モード設定手段とを備える撮像装置が有するコンピュータを、
前記撮影モード設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段と
して機能させることを特徴とする撮像制御プログラム。
【請求項１３】  被写体を撮像して画像データを出力する撮像手段と、この撮像手段から出力される画像データを記録画像として記録する記録手段と、操作に応じてプリント用紙サイズを指定する指定手段とを備える撮像装置が有するコンピュータを、
前記指定手段により指定されたプリント用紙サイズに応じて、前記記録手段に記録する記録画像上に配置する前記画像データの大きさ及び又は枚数を決定する決定手段と
して機能させることを特徴とする撮像制御プログラム。
【請求項１４】  被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置が有するコンピュータを、
前記表示手段に、前記撮影ガイド用の枠とともに撮影時の注意事項等のガイダンスを表示させる表示制御手段して機能させることを特徴とする撮像制御プログラム。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】変更
【補正の内容】
【００３１】
また、請求項１１の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段と、操作に応じてプリント用紙サイズを指定する指定手段とを備える撮像装置が有するコンピュータを、前記指定手段により指定されたプリント用紙サイズに応じて前記表示手段に表示される前記枠のサイズを変更する表示枠制御手段として機能させる。したがって、前記コンピュータがこのプログラムに従って処理を実行することにより、請求項１にかかる発明と同様の作用効果を奏する。
【手続補正７】
【補正対象書類名】明細書
【補正対象項目名】００３２
【補正方法】変更
【補正の内容】
【００３２】
また、請求項１２の発明にかかる撮像制御プログラムにあっては、被写体を撮像して画像データを出力する撮像手段と、この撮像手段から出力される画像データを記録する記録手段と、操作に応じて複数の撮影モードのいずれかを設定する撮影モード設定手段とを備える撮像装置が有するコンピュータを、前記撮影モード設定手段により所定の撮影モードが設定されている状態で撮影が指示された場合、撮影動作を実行し、前記所定の撮影モードに対応する所定のプリント用紙サイズを示す情報とともに画像データを前記記録手段に記録させる記録制御手段として機能させる。したがって、前記コンピュータがこのプログラムに従って処理を実行することにより、請求項４にかかる発明と同様の作用効果を奏する。
【手続補正８】
【補正対象書類名】明細書
【補正対象項目名】００３３
【補正方法】変更
【補正の内容】
【００３３】
また、請求項１３の発明にかかる撮像制御プログラムにあっては、被写体を撮像して画像データを出力する撮像手段と、この撮像手段から出力される画像データを記録画像として記録する記録手段と、操作に応じてプリント用紙サイズを指定する指定手段とを備える撮像装置が有するコンピュータを、前記指定手段により指定されたプリント用紙サイズに応じて、前記記録手段に記録する記録画像上に配置する前記画像データの大きさ及び又は枚数を決定する決定手段として機能させる。したがって、前記コンピュータがこのプログラムに従って処理を実行することにより、請求項５にかかる発明と同様の作用効果を奏する。
【手続補正９】
【補正対象書類名】明細書
【補正対象項目名】００３４
【補正方法】変更
【補正の内容】
【００３４】
また、請求項１４の発明にかかる撮像制御プログラムにあっては、被写体を撮像して画像データを出力する撮像手段と、この撮像手段から出力される画像データに基づき前記被写体のスルー画像を表示するとともに、このスルー画像上に撮影ガイド用の枠を表示する表示手段とを備える撮像装置が有するコンピュータを、前記表示手段に、前記撮影ガイド用の枠とともに撮影時の注意事項等のガイダンスを表示させる表示制御手段して機能させる。したがって、前記コンピュータがこのプログラムに従って処理を実行することにより、請求項１０にかかる発明と同様の作用効果を奏する。
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】０１０２
【補正方法】変更
【補正の内容】
【０１０２】
以上説明したように請求項１及び請求項１１にかかる発明によれば、指定されたプリントサイズに応じて、スルー画像上に表示されている撮影ガイド用の枠のサイズを変更するようにしたことから、プリントサイズが大きくなるに従って枠は相対的に小さく表示されることとなり、逆にプリントサイズが小さくなるに従って枠は相対的に大きく表示されることとなる。したがって、撮影者は、枠内に被撮影者の上半身が適正な範囲で収まるように、撮像装置の向き、あるいは被撮影者からの距離等を調整することにより、枠内に適正な範囲で被撮影者の上半身が収まった状態での撮影記録が可能となる。よって、規定サイズ内に適正な大きさ及び範囲で画像が存在する証明写真を印刷できるように撮影を行うことができる。
【手続補正１３】
【補正対象書類名】明細書
【補正対象項目名】０１０３
【補正方法】変更
【補正の内容】
【０１０３】
また、請求項４及び請求項１２にかかる発明によれば、設定された所定の撮影モードに対応する所定のプリント用紙サイズを示す情報とともに画像データを記録させるようにしたことから、記録された画像データに基づき印刷を行う際に使用するプリンターが、Ｌサイズ、Ａ４サイズ、Ｂ５サイズ等のサイズの異なる用紙に印刷可能なものである場合には、記録されている所定の撮影モードに対応する所定のプリント用紙サイズを示す情報に基づき、プリンターが当該プリント用紙サイズで印刷を行うことができる。したがって、印刷後、印刷用紙を切断することにより、使用可能な規定のサイズからなり、かつ、適正な大きさ及び範囲で上半身の画像が印刷された証明写真を完成させることができる。
【手続補正１４】
【補正対象書類名】明細書
【補正対象項目名】０１０４
【補正方法】変更
【補正の内容】
【０１０４】
また、請求項５及び請求項１３にかかる発明によれば、指定されたプリントサイズに応じて、記録媒体に記録する記録画像上に配置する撮影画像の大きさ及び又は枚数を決定するようにしたことから、記録画像上にプリントサイズに応じた大きさ及び又は枚数の撮影画像が配置された画像データを記録することが可能となる。したがって、この画像データに基づきプリンターで印刷を行うことにより、印刷用紙を効率的に使用して適正な大きさ及び範囲の画像を印刷することができる。
【手続補正１５】
【補正対象書類名】明細書
【補正対象項目名】０１０５
【補正方法】変更
【補正の内容】
【０１０５】
また、請求項１０及び請求項１４にかかる発明によれば、撮影ガイド用の枠とともに撮影時の注意事項等のガイダンスを表示させるようにしたことから、撮影者がこのガイダンスを視認してこれに従い、あるいは被撮影者に指示することにより、サイズ以外の条件に関しても適切な証明写真となる画像を撮影記録することが可能となる。
【手続補正１６】
【補正対象書類名】明細書
【補正対象項目名】０１０６
【補正方法】削除
【補正の内容】
【手続補正１７】
【補正対象書類名】明細書
【補正対象項目名】０１０７
【補正方法】削除
【補正の内容】